(57)【要約】【課題】略矩形状と異なる全体形状を採用するとともに、当該筐体本体と当該外装用前扉によって閉塞される空間の内部に設けられた部品に対して不正行為が行われるのを防止できる回胴式遊技機を提供する。【解決手段】筐体本体２は、円筒状に形成され、前記外装用前扉３の外側面に形成された凹部３０１にメダル受け皿６２が設けられるので、略矩形状と異なる全体形状を採用できるとともに、前記外装用前扉３が前記開口８を閉塞した状態で、前記外装用前扉３の外側面に形成された凹部３０１の裏側が電源ユニット等の回胴式遊技機１の内部部品に近接して配置するので、内部に設けられた部品に対して不正行為が行われるのを防止できる。【選択図】図１
2009136624.tif 000002
【特許請求の範囲】
【請求項１】
円筒状に形成された円筒部を有し、当該円筒部の一端及び他端がそれぞれ上面板及び底面板により閉塞されるとともに、前方に開口を有する筐体本体と、
外側面が前記筐体本体の内周に沿って回転スライド可能に設けられ、前記開口の開放及び閉塞を行う外装用前扉と、
前記外装用前扉の外側面に設けられ、遊技に係わる操作が行われる遊技操作手段と、
前記筐体本体と前記外装用前扉によって閉塞される空間の内部に設けられ、遊技に係わる制御を行う制御基板と、
周面に複数種類の図柄が描かれ複数のリールを有し、前記筐体本体と前記外装用前扉によって閉塞される空間の内部に設けられ、前記制御基板の制御に基づいて前記複数のリールの回転及び停止を行うリールユニットと、
前記外装用前扉に設けられ、当該外装用前扉が前記筐体本体の前記開口を閉塞した状態で前記複数のリールの前方に配置して当該複数のリールの前側を視認可能にするリール表示窓と、
前記筐体本体と前記外装用前扉によって閉塞される空間の内部に設けられ、メダルを払い出すメダル払出手段と、
前記外装用前扉の下部を前記筐体本体の内側方向に膨出することで前記外装用前扉の外側面に形成された凹部と、
前記凹部の下側の縁から上方に延出して形成され、前記凹部の下部とともにメダル受け皿を形成する外側壁部と、
前記凹部の奥部に形成され、前記メダル払出手段から払い出されたメダルを前記メダル受け皿へ排出するメダル払出口と、
前記筐体本体と前記外装用前扉によって閉塞される空間の内部に設けられ、前記筐体本体の壁面に形成された貫通孔を介して筐体本体の外部から電力が供給され、供給された電力から所定の電圧値の電力を生成して前記制御基板、前記リールユニット及び前記メダル払出手段に電力を供給する電源ユニットと、
を備えることを特徴とする回胴式遊技機。
【請求項２】
前記電源ユニットの前面に設けられ、設定キーと嵌合する設定キー嵌合部を有し、当該設定キー嵌合部が前記設定キーと嵌合することで当該設定キー嵌合部のオフ位置からオン位置への回動操作が可能になる設定用シリンダ錠と、
前記電源ユニットに対して回動可能に取付けられることで前記電源ユニットの前面を開閉可能な状態で覆う電源ユニット用前扉と、
入賞役を抽選する抽選手段と、
設定変更のための操作入力が可能な設定変更用操作入力手段と、
前記設定キー嵌合部がオン位置にある場合に限って、前記設定変更用操作入力手段からの操作入力に基づいて前記抽選手段の抽選確率の設定変更を行う設定変更手段と、
を更に備え、前記外装用前扉の前記凹部の裏側は、当該外装用前扉が前記開口を閉塞した状態で、前記電源ユニット用前扉の表面側の近傍または当該表面側に接触する位置に配置して前記電源ユニット用前扉の開放を阻止することを特徴とする請求項１に記載の回胴式遊技機。
【発明の詳細な説明】
【技術分野】
【０００１】
本発明は、複数種類の図柄を切り換えて表示する回胴式遊技機に関する。
【背景技術】
【０００２】
従来、パチスロやスロットマシンと呼ばれる回胴式遊技機は、例えば特許文献１に記載されているように、略矩形状の箱体である筐体（筐体本体）と、当該筐体に開閉可能に取付けられたフロントドア（外装用前扉）とを備えている。
【０００３】
また、一般的な回胴式遊技機は、外装用前扉に形成された透明な表示窓を通して筐体内の３列のリールが目視される。各リールの周面には複数種類の図柄が配列されて描かれており、リールを回転させることで遊技の入賞又はハズレに係る図柄が変動表示される。また、回胴式遊技機には、リールを一斉に回転させるスタートボタンと、回転する各リールを個別に停止させるためのストップボタンが設けられ、スタートボタンが傾倒操作されて回転を開始したリールは、ストップボタンの押圧操作を契機にそれぞれ制動されて停止する。そして、各リールが表示する図柄の組合せが有効ライン上に揃うと入賞が確定し、入賞図柄の組合せに応じた数の遊技媒体（メダル）を配当するように構成されている。
【０００４】
【特許文献１】特開２００４−２３００２４号公報
【発明の開示】
【発明が解決しようとする課題】
【０００５】
上述した従来の回胴式遊技機では、筐体本体に略矩形状の箱体を用いているため全体形状について機種毎の変化が少なく、遊技者の興味を維持するのが困難になってきている。また、筐体本体が略矩形状なので応力が集中するの角が多く筐体の軽量化が困難であった。さらに、外装用前扉が筐体本体に対して回動して前方に開く構造を採用しているので、不正行為者により外装用前扉と筐体本体の隙間やメダル払出口から薄型の不正器具が挿入され、電源装置の前面部に設けられた設定用シリンダ錠等が不正器具により不正に操作させることで入賞役の当選確率が高い方に不正に設定変更される等、回胴式遊技機の内部部品に対して不正行為が行われる可能性があった。
【０００６】
本発明は、こうした従来の問題に鑑みてなされたものであり、略矩形状と異なる全体形状を採用するとともに、筐体本体の軽量化が容易で、筐体本体の開口を外装用前扉で閉塞した状態で当該筐体本体と当該外装用前扉によって閉塞される空間の内部に設けられた部品に対して不正行為が行われるのを防止できる回胴式遊技機を提供することを目的としている。
【課題を解決するための手段】
【０００７】
上述した課題を解決するため、請求項１に記載の発明は、円筒状に形成された円筒部を有し、当該円筒部の一端及び他端がそれぞれ上面板及び底面板により閉塞されるとともに、前方に開口を有する筐体本体と、外側面が前記筐体本体の内周に沿って回転スライド可能に設けられ、前記開口の開放及び閉塞を行う外装用前扉と、前記外装用前扉の外側面に設けられ、遊技に係わる操作が行われる遊技操作手段と、前記筐体本体と前記外装用前扉によって閉塞される空間の内部に設けられ、遊技に係わる制御を行う制御基板と、周面に複数種類の図柄が描かれ複数のリールを有し、前記筐体本体と前記外装用前扉によって閉塞される空間の内部に設けられ、前記制御基板の制御に基づいて前記複数のリールの回転及び停止を行うリールユニットと、前記外装用前扉に設けられ、当該外装用前扉が前記筐体本体の前記開口を閉塞した状態で前記複数のリールの前方に配置して当該複数のリールの前側を視認可能にするリール表示窓と、前記筐体本体と前記外装用前扉によって閉塞される空間の内部に設けられ、メダルを払い出すメダル払出手段と、前記外装用前扉の下部を前記筐体本体の内側方向に膨出することで前記外装用前扉の外側面に形成された凹部と、前記凹部の下側の縁から上方に延出して形成され、前記凹部の下部とともにメダル受け皿を形成する外側壁部と、前記凹部の奥部に形成され、前記メダル払出手段から払い出されたメダルを前記メダル受け皿へ排出するメダル払出口と、前記筐体本体と前記外装用前扉によって閉塞される空間の内部に設けられ、前記筐体本体の壁面に形成された貫通孔を介して筐体本体の外部から電力が供給され、供給された電力から所定の電圧値の電力を生成して前記制御基板、前記リールユニット及び前記メダル払出手段に電力を供給する電源ユニットと、を備えることを特徴とする。
請求項２に記載の発明は、請求項１に記載の回胴式遊技機であって、前記電源ユニットの前面に設けられ、設定キーと嵌合する設定キー嵌合部を有し、当該設定キー嵌合部が前記設定キーと嵌合することで当該設定キー嵌合部のオフ位置からオン位置への回動操作が可能になる設定用シリンダ錠と、前記電源ユニットに対して回動可能に取付けられることで前記電源ユニットの前面を開閉可能な状態で覆う電源ユニット用前扉と、入賞役を抽選する抽選手段と、設定変更のための操作入力が可能な設定変更用操作入力手段と、前記設定キー嵌合部がオン位置にある場合に限って、前記設定変更用操作入力手段からの操作入力に基づいて前記抽選手段の抽選確率の設定変更を行う設定変更手段と、を更に備え、前記外装用前扉の前記凹部の裏側は、当該外装用前扉が前記開口を閉塞した状態で、前記電源ユニット用前扉の表面側の近傍または当該表面側に接触する位置に配置して前記電源ユニット用前扉の開放を阻止することを特徴とする。
【０００８】
請求項１及び２に記載の回胴式遊技機によれば、前記筐体本体は、エッジの少ない円筒状に形成され、前記外装用前扉の外側面に形成された凹部にメダル受け皿が設けられるので、略矩形状と異なる全体形状を採用できるとともに、前記筐体本体の軽量化が容易になり、これに加えて、前記外装用前扉が前記開口を閉塞した状態で、前記外装用前扉の外側面に形成された凹部の裏側が電源ユニット等の回胴式遊技機の内部部品に近接して配置するので、筐体本体の開口を外装用前扉で閉塞した状態で当該筐体本体と当該外装用前扉によって閉塞される空間の内部に設けられた部品に対して不正行為が行われるのを防止できる。
請求項２に記載の回胴式遊技機によれば、前記外装用前扉の前記凹部の裏側は、当該外装用前扉が前記開口を閉塞した状態で、前記電源ユニット用前扉の表面側の近傍または当該表面側に接触する位置に配置して前記電源ユニット用前扉の開放を阻止する。
【発明の効果】
【０００９】
本発明の回胴式遊技機によれば、略矩形状と異なる全体形状を採用するとともに、筐体本体の軽量化が容易になり、筐体本体に外装用前扉を施錠した状態で外装用前扉と筐体本体の隙間から薄型の不正器具が挿入されるのを防止できるので、遊技者の興味を容易に維持できるとともに、当該回胴式遊技機の設置作業や撤去作業の際に当該回胴式遊技機を容易に移動でき、不正行為を未然に防止して遊技施設の経営改善を図ることができる。
【発明を実施するための最良の形態】
【００１０】
以下、本発明に係る回胴式遊技機の好適な一実施形態を図面を参照して説明する。なお、図１は回胴式遊技機１の外観構造を表した斜視図である。図２は回胴式遊技機１の正面図である。図３は外装用前扉３を開放した状態の回胴式遊技機１を表した斜視図である。図４は図２のＡ−Ａ線断面図である。図５は回胴式遊技機１の正面から見た断面図である。図６は外装用前扉３の筐体内側面を示す背面図である。図７は回胴式遊技機１の制御システムを表したブロック図である。図８はホッパ装置２１を表した斜視図である。図９は図２のＢ−Ｂ線断面図である。図１０は電源ユニット２４を示す分解斜視図である。図１１は電源ユニット用前扉を開いた状態の電源ユニット２４の示す斜視図である。図１２は外装用前扉３を開放した状態における外装用前扉３と電源ユニット用前扉５０２の位置関係を示す説明図である。図１３は外装用前扉３を開放した状態における外装用前扉３と電源ユニット用前扉５０２の位置関係を示す説明図である。
【００１１】
尚、図１乃至図１３を用いた説明において、各部材の左側及び右側はそれぞれ回胴式遊技機１の正面面側から見た場合の左側及び右側を示しており、背面側から見た図６では、図面に向かって左側が各部材の右側になっている。
【００１２】
図１において、回胴式遊技機１は、前方に開口を有する円筒形状の筐体本体２と、当該筐体本体２の開口の開放及び閉塞を行う外装用前扉３とを備えている。
筐体本体２は、円筒状に形成された円筒部１１を有し、円筒部１１の一端及び他端がそれぞれ上面板１２及び底面板１３により閉塞されるとともに、前方に開口８（図３参照）を有する。
【００１３】
支持板１４は、四角形の板状に形成され、前記筐体本体に収納された状態で上辺及び下辺がそれぞれ前記上面板１２及び前記底面板１３に接触して前記上面板１２及び前記底面板１３の間を支持する。
【００１４】
外装用前扉３は、図４に示すように、左右の幅が前記開口８の左右の内径より大きく形成され、図３に示すように、上面板１２の下側面に形成されたレール溝１５の底面板１３の上側面に設けられたレール溝１６によって外側面が前記筐体本体２の内周に沿って回転スライド可能に設けられ、前記開口８の開放及び閉塞を行う。
また、外装用前扉３は、前記開口８を閉塞した状態で、その左右両脇が前記筐体本体２の前記開口８の縁部とが重なり合って図４に示す左右の重複部１９１、１９２を形成する。
【００１５】
図１において、円筒部１１の外周の上下には、補強用のリブ１７、１８が帯状に形成されている。
【００１６】
外装用前扉３の前面側は、上方から見て円周形状に形成されている。
【００１７】
図１及び図２において、外装用前扉３の前面側は、遊技動作に関する表示を行う上側部４と機種及び機番に係わる表示を行う下側部５を備え、これらは視覚効果を高めてデザインされたいわゆる化粧板として、硬質プラスチックにより一体的に形成されている。更に、下側部５の下方には、入賞時に払い出されるメダル（遊技媒体）を貯留するメダル受皿６２が一体的に形成されたメダル受皿部６が設けられている。
【００１８】
また、上側部４と下側部５との間には、ゲーム操作を行うためのスイッチ類が配置されている操作部７が設けられている。なお、上側部４、操作部７、下側部５、及びメダル受皿部６は、遊技者側に面し、これらによって「前面パネル部」が構成される。
【００１９】
上側部４の中央には、略長方形の透明なリール表示窓４１が形成されている。回胴式遊技機１は、このようなリール表示窓４１を通して筐体本体２内に設けられているリールユニット１００の３個のリール１０１ａ、１０１ｂ、１０１ｃが目視されるようになっている。
【００２０】
ここで、筐体本体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、リール表示窓４１を通して３列のリールに描かれたそれぞれ上下方向３個の図柄を目視できる。
【００２１】
上側部４の上部には、透明な硬質プラスチック板等が嵌め込まれて形成された表示窓４２に面して遊技機の演出装置として液晶表示装置４３が配置されている。なお、液晶表示装置４３は、ゲームの演出に係る映像やゲーム（遊技）に関する情報を主に表示する。
【００２２】
操作部７の上面右側にはメダル投入部７１が設けられている。メダル投入部７１はメダルを投入するためのメダル投入口７２を有する。外装用前扉３の前面におけるメダル投入部７１の上方には、取手７３が設けられている。取手７３は、前記筐体本体２の内側に向かって膨出することで外側面に対して凹んだ形状に形成される。
【００２３】
操作部７の構成する化粧板７０は、奥方に窪む段部になっている。化粧板７０の右側部には、押しボタンスイッチであるベットボタン７４が設けられている。
ベットボタン７４は回胴式遊技機１の１ゲームに賭けるメダルの枚数を提示するためのボタンスイッチである。本回胴式遊技機１においては、ベットボタン７４が押圧操作されることで３枚の当該ゲームにメダルが賭けられる。
【００２４】
操作部７の前面を構成する化粧板７０の左側部には、リール１０１ａ、１０１ｂ、１０１ｃの回転開始を指示するためのスタートボタン７５が設けられている。
また、化粧板７０の中央には、各リール１０１ａ、１０１ｂ、１０１ｃの回転停止をそれぞれ指示するためのストップボタン７６ａ、７６ｂ、７６ｃが各リールの配列に対応して並設されている。
さらに、操作部７の前面の左隅には、ゲームに賭けられたメダルをキャンセルして払い出させることを指示するとともに、後述するメダルクレジット手段１２６（図３参照）が内部貯留したメダルを精算して払い出させることを指示するための精算ボタン７７が設けられている。
【００２５】
筐体本体２の操作部７の右側に対応する位置には、外装用前扉用シリンダ錠ユニット７８が設けられている。外装用前扉用シリンダ錠ユニット７８には、外装用前扉３を開錠するための鍵が挿入される鍵穴７９が設けられている。回胴式遊技機１の管理者等が鍵穴７９に所定の扉キーを挿入して開錠操作すると、筐体本体２に取付けられている外装用前扉３を左側へ開くことができる。
【００２６】
ここで、前記外装用前扉３には、図３に示すように、当該外装用前扉３が前記筐体本体２の前記開口８を閉塞した状態で前記筐体本体２の内側に押し込まれた前記外装用前扉用シリンダ錠ユニット７８が挿入される貫通孔９２が形成されている。外装用前扉用シリンダ錠ユニット７８は、外装用前扉３を開錠した状態で外側方向に突出し、貫通孔９２から抜き出される。
【００２７】
図１及び図２において、下側部５には、回胴式遊技機１の機種を遊技者へ認識させる等のため、登場キャラクターの絵などを表示する表示パネル５１が設けられている。
【００２８】
下側部５の下側に配置されたメダル受皿部６には、入賞時にメダルを排出するメダル払出口６１と、払い出されたメダルを貯留するメダル受皿６２と、演出効果音を発生させるスピーカを内蔵する左右の演出用放音部６３ａ、６３ｂと、着脱可能な灰皿６４とが配置されている。
【００２９】
次に、図５及び図６を参照して、筐体本体２の内部構造と外装用前扉３の裏面構造とを説明する。
【００３０】
図５において、筐体本体２の内部には、支持板１４が設けられている。支持板１４の前面上部には、左右のブラケット部材８１、８２を介して硬質プラスチックの基板ケース８０に収納された主制御基板２０が取付けられている。主制御基板２０は、回胴式遊技機１の全体動作を集中制御するＣＰＵ（マイコン）を備えている。
【００３１】
また、支持板１４の前面には、リール１０１ａ、１０１ｂ、１０１ｃを備えるリールユニット１００が取付けられている。リールユニット１００は、外装用前扉３が閉じられると外装用前扉３のリール表示窓４１にリール１０１ａ、１０１ｂ、１０１ｃが対向するように、所定フレームに位置決めされて取付けられている。なお、各リール１０１ａ、１０１ｂ、１０１ｃは、それぞれに内蔵されたステッピングモータによって回転駆動される。
【００３２】
また、リールユニット１００の上部には、各リールを回転駆動する前記ステッピングモータへ４相の駆動パルス信号を送出する回胴装置基板１１０が取付けられており、主制御基板２０が回胴装置基板に回胴駆動（励磁）パルスデータを送出することで、各リールの回転と制動及び停止の制御を行っている。
【００３３】
リールユニット１００の下方には、ホッパ装置２１と、ホッパ装置２１から溢れたメダルを収容するための補助貯留部２３と、電源ユニット２４が設けられている。電源ユニット２４の内部の右側には、いわゆる配電盤に相当する電源基板２５が設けられている。
【００３４】
電源ユニット２４は、ハーネスを介してホッパ装置２１及び主制御基板２０等の電気部品と電気的に接続する。また、電源ユニット２４は、支持板１４の壁面に形成された貫通孔９及び前記筐体本体２の壁面に形成された貫通孔１９に挿通された電源コード１０を介して筐体本体２の外部から電力が供給され、供給された電力から所定の電圧値の電力を生成してホッパ装置２１及び主制御基板２０等の電気部品に供給する。ホッパ装置２１の前面には、メダルを排出するメダル排出口２２が設けられている。
更に、筐体本体２の上部右側の内面に、遊技場に設置されている「ホールコンピュータ」と呼ばれる管理用コンピュータと接続可能な外部集中端子基板２６が取付けられている。
【００３５】
一方、図６において、外装用前扉３の筐体内側面の上部には、液晶表示装置４３が取付けられている。更に、液晶表示装置４３の裏面側には、電気回路基板で形成され硬質プラスチックの基板ケース９０に収納されたサブ制御基板４０が取付けられている。
【００３６】
主制御基板２０及びサブ制御基板４０は、回胴式遊技機１の作動を制御する制御基板である。
サブ制御基板４０の下方には、リール１０１ａ、１０１ｂ、１０１ｃを目視させるための透明なリール表示窓４１が形成されたパネル板４４が配置され、リール表示窓４１の下方には、中央表示基板３３が設けられている。中央表示基板３３の後側板面の右側（この場合の右側は、外装用前扉３の前方から見た場合の右側を示している。）には、設定変更ボタン１４１が設けられている。設定変更ボタン１４１は、ヒンジ機構により開閉可能な透明カバー１４２により覆われている。中央表示基板３３は、前面側のベットボタン７４、スタートボタン７５（図１参照）、ストップボタン７６ａ、７６ｂ、７６ｃ（図１参照）及び精算ボタン７７（図１参照）、設定変更ボタン１４１等の操作スイッチ類の出力信号を主制御基板２０へ転送する中継基板として機能する中央表示基板３３が設けられている。
【００３７】
中央表示基板３３の下方には、メダル選別装置３４が取付けられている。メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００３８】
メダル選別装置３４の装置本体の下方には、メダル選別装置３４によって振り分けられた正規のメダルを筐体本体２内に設けられているホッパ装置２１へ案内するガイド部材３５と、メダル選別装置３４により排除されたメダル（又は異物）をメダル払出口６１（図１参照）へ案内するキャンセルシュート部材３６が設けられている。また、外装用前扉３の裏面側下部には、ホッパ装置２１のメダル排出口２２から排出されたメダルをメダル払出口６１（図１参照）へ案内するガイド部材３７が設けられている。更に、メダル払出口６１（図１参照）に隣接して、上述した演出用放音部６３ａ、６３ｂ（図１参照）に対向するスピーカ３８ａ、３８ｂが取付けられている。
【００３９】
なお、回胴式遊技機１全体の動作は、筐体本体２側に設けられている主制御基板２０によって統括制御されており、サブ制御基板４０は、液晶表示装置４３による演出映像の表示制御、及び演出用放音部６３ａ、６３ｂのスピーカ３８ａ、３８ｂを使った演出効果音制御など、ゲームの演出に係る制御を主に行っている。
【００４０】
次に、図７のブロック図を参照して、回胴式遊技機１に設けられている制御システムについて説明する。
【００４１】
図７において、主制御基板２０は、ＣＰＵ１２０と、記憶部１２１とを主要構成として備えている。
【００４２】
記憶部１２１は、ＲＯＭ、ＲＡＭ等の半導体メモリによって構成され、主要構成としてプログラムＲＯＭ１２２と制御ＲＡＭ１２３を有している。記憶部１２１のプログラムＲＯＭ１２２には、回胴式遊技機ゲーム用のシステムプログラム１２４が予め記憶されている。主制御基板２０は、記憶部１２１のプログラムＲＯＭ１２２に記憶されたシステムプログラム１２４に従ってＣＰＵ１２０が演算処理を実行することで、回胴式遊技機１全体の動作を統括制御している。
また、記憶部１２１の制御ＲＡＭ１２３にはメダルクレジット手段１２６が設けられている。メダルクレジット手段１２６は回胴式遊技機１が内部貯留するメダルの数であるクレジットをメモリに記憶する。
【００４３】
また、主制御基板２０には、ベットボタン７４、スタートボタン７５、ストップボタン７６ａ、７６ｂ、７６ｃ、精算ボタン７７、設定変更ボタン１４１等の操作スイッチ類が誤動作防止用の入力回路を介して接続されるとともに、メダル選別装置３４のメダルセンサ１３１及びソレノイド１３２がハーネスを介して接続されている。
【００４４】
また、主制御基板２０には、電源基板２５を介して、メダル払出装置であるホッパ装置２１、後述するリセットボタン５２２、設定用シリンダ錠５２３のロータリースイッチ５２６、数値情報表示部５２４、決定ボタン５２５等が電気的に接続されている。スタートボタン７５は、当該スタートボタン７５の操作を検出するフォトセンサ９１を備えている。フォトセンサ９１の検出出力は、主制御基板２０に設けられた入力回路１６１を介してＣＰＵ１２０に入力される。尚、図７において、主制御基板２０には、説明の簡略化のため操作スイッチ類の入力回路としてスタートボタン７５用の入力回路１６１のみ図示しているが、主制御基板２０には、他のスイッチ用の入力回路も設けられている。
【００４５】
ソレノイド１３２は、メダル選別装置３４に流下するコインを強制排除する場合に用いられるメダルブロッカを駆動するためのものである。ＣＰＵ１２０は、主制御基板２０に設けられたソレノイド駆動回路１３０を制御することでソレノイド１３２のオン、オフを行う。
【００４６】
主制御基板２０は、前記操作スイッチ類やメダル選別装置３４のメダルセンサ１３１からの出力信号によりゲームに係る操作を検出する。
また、主制御基板２０は、動作モードがメダルベット待機状態となっている場合において、メダルセンサ１３１がメダルを検出した場合、検出したメダルをゲームの賭数に加算する。
【００４７】
また、主制御基板２０は、動作モードがメダルクレジット入力待機状態となっている場合において、メダルセンサ１３１がメダルを検出した場合、検出したメダルをメダルクレジット手段１２６のクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、メダルクレジット手段１２６の前記クレジット数が最大値（５０）になるまでの状態のことを示している。
【００４８】
また、主制御基板２０は、各リール１０１ａ、１０１ｂ、１０１ｃに設けられる基準位置センサ１０３ａ、１０３ｂ、１０３ｃの検出信号を入力し、各リールの基準となる回転位置を把握しながら、回胴装置基板１１０に所定の回胴駆動パルスデータを送出する。回胴装置基板１１０は、主制御基板２０からの回胴駆動パルスデータに従って各ステッピングモータ１０２ａ、１０２ｂ、１０２ｃを回転駆動することで、各リール１０１ａ、１０１ｂ、１０１ｃの回転及び停止の動作制御を行っている。
また、主制御基板２０は、入賞が確定した場合等において、電源基板２５を介してホッパ装置２１を制御することで、所定数のメダルをメダル受皿６２に払い出す。
【００４９】
さらに、主制御基板２０は、精算ボタン７７が操作された場合、ゲームに賭けられたメダルをキャンセルしてホッパ装置２１に払い出させるとともに、メダルクレジット手段１２６（図７参照）が内部貯留したメダルを精算してホッパ装置２１に精算前のクレジット数のメダルを払い出させる。
【００５０】
サブ制御基板４０は、主制御基板２０からの制御信号に基づいて液晶表示装置４３（図１参照）、演出用放音部６３ａ、６３ｂ（図１参照）のスピーカ３８ａ、３８ｂ等の演出装置５０を制御駆動することで、遊技者の視覚や聴覚に訴える演出をゲームの進行に応じて行っている。
【００５１】
一方、主制御基板２０の記憶部１２１のプログラムＲＯＭ１２２には、入賞抽選テーブル１２５が記憶されている。また、記憶部１２１の制御ＲＡＭ１２３には、内部当選した入賞役に対応するフラグを記憶する内部抽選フラグ記憶領域１２７が設定されている。
【００５２】
さらに、記憶部１２１の制御ＲＡＭ１２３には、前記入賞役を抽選する抽選確率の設定を記憶する設定記憶領域１２８が設定されている。
【００５３】
また、主制御基板２０には、乱数値のデータを発生する乱数発生装置１６２がＣＰＵ１２０に接続した状態で設けられている。乱数発生装置１６２は、入力回路１６１の出力側と接続しており、入力回路１６１からの操作検出信号がスタートボタン７５の操作の検出を示したタイミングで乱数を発生される。
【００５４】
ＣＰＵ１２０は、入力回路１６１からの操作検出信号がスタートボタン７５の操作の検出を示すことを契機に乱数発生装置１６２から乱数値を取得し、設定記憶領域１２８に記憶された設定に対応する入賞抽選テーブル１２５を参照することで、得られた乱数値に割り当てられた入賞役またはハズレを抽選する。そして、ＣＰＵ１２０は、乱数値に対応する入賞役が存在すると、それを当該ゲームの入賞役として抽選結果を当選にし、記憶部１２１の内部抽選フラグ記憶領域１２７における当選した入賞役のフラグをオンにする。ここでは、かかる入賞役の抽選方法を「内部抽選」と呼んでいる。
【００５５】
次に、回胴式遊技機１におけるゲーム動作の概要を説明する。
【００５６】
回胴式遊技機１は、先のゲームにおいて入賞しメダルの配当が完了した時、又は先のゲームにおいてハズレが確定すると待機状態となる。この待機状態においては、当該状態を遊技者に示唆するとともにゲーム操作を促す待機モードの演出が液晶表示装置４３等によって行われる。次に、遊技者がメダル投入部７１にメダルを投入し、もしくは、ベットボタン７４を押圧操作することで、回胴式遊技機１は、内部に貯留したメダル（クレジット）から当該ゲームに所定枚数（３枚）のメダルが賭けられゲームを準備する。
【００５７】
ゲーム準備の状態でスタートボタン７５が操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ記憶領域１２７に記憶される。
【００５８】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ記憶領域１２７に記憶された内部抽選の入賞役に係る図柄の組合せとが一致しているかどうか判定する。
【００５９】
これら図柄の組合せが一致し役への入賞が確定すると、回胴式遊技機１は、主制御基板２０によりメダルクレジット手段１２６の制御を行い、内部貯留しているメダルのクレジット数が所定の数になるまで、当該役の種類に応じて予め決められた配当数のメダルをクレジット数に加算する。さらに、回胴式遊技機１は、前記配当数と前記クレジット数の加算結果が前記所定の数を超過すると、この超過した数のメダルをメダル受皿６２へ払い出す。
以下、ホッパ装置２１について詳細に説明する。
図８において、ホッパ装置２１は、ホッパタンク２０１、メダル排出機構部２０２、ホッパベース２０３を備えて構成されている。
【００６０】
ホッパタンク２０１は、汎用プラスチック、例えば、ＡＢＳ（アクリロニトリルブタジエンスチレン）樹脂により成型された漏斗型タンクであり、ガイド部材３５（図６参照）から送出されたメダルを、上方に向かって開口した開口部２１１からタンク内に導入すると共に、ホッパタンク２０１に一体形成された右下がりの斜面部２１２によって、左斜め下方に向かって延びる筒状のタンク底部２１３内に移動させるようになっている。
【００６１】
また、このホッパタンク２０１の内側には、ホッパタンク２０１から溢れたメダルを補助貯留部２３（図６参照）に送出するためのガイド部材２１４が設けられている。
【００６２】
ガイド部材２１４は、ホッパタンク２０１の前面部２１５に一体形成された切り欠き部２１７と、右側面部２１６に一体形成された矩形状の開口部２１８とに跨って一体的に取付けられている。
【００６３】
次に、メダル排出機構部２０２について説明する。
【００６４】
メダル排出機構部２０２は、排出機構側ホッパタンクベース２２１の内部に、回転体としてのロータディスク２２２を収納し、排出機構側ホッパタンクベース２２１の前面にメダル排出ガイド２２３を右斜め下方に向けて突出して設けたものである。メダル排出ガイド２２３は、外形が前後に長い板状に形成され、内部にスリット状のメダル通路２２４を形成したものである。
【００６５】
メダル排出ガイド２２３の先端にはメダル通路２２４の開口となるメダル排出口２２が設けられている。メダル排出ガイド２２３の一側面には、メダル排出ガイド２２３の強度を高めるためのリブ２２５が形成されている。
【００６６】
メダル排出機構部２０２は、ロータディスク２２２の正回転動によりホッパタンク２０１内のメダルを１枚ずつメダル排出ガイド２２３を介してメダル排出口２２から排出する。
【００６７】
次に、ホッパベース２０３について説明する。
【００６８】
ホッパベース２０３は、その内部に、ロータディスク２２２を駆動する駆動部を収納し、ホッパタンク２０１とメダル排出機構部２０２とを筐体２の底板部１２（図３参照）の上面において右下がりの状態で支持するようになっている。
【００６９】
次に、メダル受皿部６及びその周辺部について詳細に説明する。
【００７０】
図９において、前記外装用前扉３の外側面の下部には、凹部３０１が形成されている。
【００７１】
凹部３０１は、前記外装用前扉３の下部の板面を前記筐体本体２の内側方向に膨出することで形成され、上下左右の壁部３１１、３１２、３１３、３１４（図２参照）及び奥方の壁部３１５を備える。尚、左の壁部３１３は、図１に示すように、灰皿６４の上側に配置する左上側の壁部３１６と灰皿６４の右側に配置する左下側の壁部３１７とから構成される。
【００７２】
図９において、前記凹部３０１の下側の縁３０２からは、外側壁部３０３が上方に延出して形成されている。前記凹部３０１の下部である下側の壁部３１２と、左下側の壁部３１７と、右側及び奥方の壁部３１４（図２参照）、３１５の略下半分と、外側壁部３０３とは、メダル受け皿６２を形成する。
【００７３】
前記凹部３０１の奥方の壁部３１５には、前記メダル払出手段から払い出されたメダルを前記メダル受け皿６２へ排出するメダル払出口６１が形成されている。
【００７４】
下側部５の表示パネル５１の裏側には、複数のバックライト３２１が設けられている。奥方の壁部３１５の上方には、バックライト３２１と筐体本体２の内部との間を分離するための隔壁３２２がネジ止めにより設けられている。隔壁３２２のメダル払出口６１の近傍には、ガイド部材３７がネジ３２３によるネジ止めで取り付けられている。
【００７５】
ガイド部材３７は、前方が開口した箱形状に形成され、後ろ側の壁面３３１の上部にホッパ装置２１のメダル排出口２２と繋がるスリット孔３３２（図６参照）が形成されている。
【００７６】
ガイド部材３７は、奥方の壁部３１５及び隔壁３２２とともにスリット孔３３２からのメダル５００を通過させるメダル通路３３３を形成する。ガイド部材３７の下部に対応する位置には、壁部３１５のメダル払出口６１が配置する。これにより、メダル通路３３３を通過したメダル５００は、メダル払出口６１からメダル受け皿６２に排出される。即ち、ホッパ装置２１のメダル排出口２２から排出されたメダル５００は、ガイド部材３７を介してメダル受け皿６２に排出される。
【００７７】
以下、電源ユニット２４について詳細に説明する。
【００７８】
図１０において、電源ユニット２４は、電源ユニット本体５０１と、扉５０２と、ねじりバネ５０３と、摘み部材５０４とから構成されている。
【００７９】
電源ユニット本体５０１は、箱形の筐体５１１の内部に電源基板２５を収納したものである。筐体５１１の前面部５１２の左上コーナー及び左下のコーナーの若干内側には、扉５０２の回動軸となる棒状部材５１３、５１４が設けられている。筐体５１１の前面部５１２には、嵌合穴５１５、電源スイッチ５２１、リセットボタン５２２、設定用シリンダ錠５２３、数値情報表示部５２４、決定ボタン５２５等が設けられている。
【００８０】
扉５０２は透明樹脂を板状に形成したものである。扉５０２の左上コーナー及び左下のコーナーには、当該扉５０２の回動軸となる棒状部材５１３、５１４にそれぞれ掛かるフック部５３１、５３２がそれぞれ形成されている。扉５０２の右側中間部には、摘み部材５０４を取付ける取付孔５３３が形成されている。摘み部材５０４の前部には、指で握られる円形部５４１が形成されている。摘み部材５０４の後部には、筐体５１１の前面部５１２に形成された嵌合穴５１５と嵌合する嵌合部５４２が形成されている。扉５０２と前面部５１２の間には、ねじりバネ５０３が設けられている。ねじりバネ５０３は、前面部５１２を閉塞する方向に扉５０２を付勢している。
【００８１】
このような構造により、電源ユニット２４は、作業者が摘み部材５０４の円形部５４１を指で引くことで摘み部材５０４の嵌合部５４２が嵌合穴５１５から外れ、扉５０２が棒状部材５１３、５１４を中心にして回動して開き、前面部５１２の電源スイッチ５２１、リセットボタン５２２、設定用シリンダ錠５２３、決定ボタン５２５等の操作部が操作可能となる。
【００８２】
また、電源ユニット２４は、扉５０２が開いた状態で作業者が円形部５４１から指を離せば、ねじりバネ５０３の付勢により扉５０２が閉まる方向に回動し、摘み部材５０４の嵌合部５４２が嵌合穴５１５に挿入して嵌合し、扉５０２が閉まった状態で固定される。
【００８３】
一方、設定用シリンダ錠５２３は、前面部５１２に取付け固定される前記設定用シリンダ錠本体５５１と設定用シリンダ錠ロータ５５２を有している。
【００８４】
図１１において、設定用シリンダ錠ロータ５５２は、設定キー６００の嵌合部６０２、６０３と嵌合する設定キー嵌合部５５３を鍵穴として有している。筐体５１１内における前記設定用シリンダ錠本体５５１の基端側には、設定用シリンダ錠ロータ５５２の回動を検出するロータリースイッチ５２６が取付けられている。
【００８５】
設定キー６００は、板状部６０１の一方及び他方の脇に設定用シリンダ錠ロータ５５２と嵌合する嵌合部６０２、６０３が形成されている。設定キー６００の基端側には、幅広の摘み部６０４が形成されている。
【００８６】
図１０及び図１１において、筐体５１１の上面部５１６には、第１及び第２のコネクタ用開口部５６１、５６２及び複数の通気用スリット５６３、５６３…５６３が形成されている。
【００８７】
第１及び第２のコネクタ用開口部５６１、５６２は、上面部５１６の右側部５７０に形成されている。
【００８８】
第１のコネクタ用開口部５６１は、第１の電源ユニット側コネクタ５７１を露出させるためのものであり、前後方向が長手方向となる長孔形状で右側部５７０の後ろ寄りに設けられている。第１の電源ユニット側コネクタ５７１は、主制御基板２０（図５参照）及び当該主制御基板２０（図５参照）を介してサブ制御基板４０（図５参照）に電気的に接続する主制御基板接続用ハーネスのハーネス側コネクタと結合する。
【００８９】
第２のコネクタ用開口部５６２は、第２の電源ユニット側コネクタ５７２を露出させるためのものであり、右側部５７０の前寄りに設けられている。電源ユニット側コネクタ５７２は、ホッパ装置２１（図５参照）に電気的に接続するホッパ装置接続用ハーネスのハーネス側コネクタと結合する。
【００９０】
電源ユニット２４の電源基板２５は、第１の電源ユニット側コネクタ５７１及びこれと接続するハーネスを介して主制御基板２０（図５参照）及びサブ制御基板４０（図５参照）に各種電力を供給するとともに、リセットボタン５２２、設定用シリンダ錠５２３のロータリースイッチ５２６、数値情報表示部５２４、決定ボタン５２５等の操作により得られた操作検出信号を供給する。
【００９１】
また、電源基板２５には、主制御基板２０（図５参照）が生成したホッパ装置制御用のコマンドデータが、主制御基板接続用ハーネス及び第１の電源ユニット側コネクタ５７１を介して供給される。さらに、電源基板２５には、ホッパ装置２１（図５参照）を駆動させる回路が設けられている。電源基板２５は、主制御基板２０（図５参照）から供給されるコマンドデータに基づいて所定の電圧値の駆動電力を所定の期間、電源ユニット側コネクタ５７２及びホッパ装置接続用ハーネスを（図８参照）介してホッパ装置２１（図５参照）のモータ等に供給し、ホッパ装置２１（図５参照）を駆動してメダルの払い出しを行わせる。
【００９２】
以下、回胴式遊技機１の設定変更方法について説明する。
図１に示す回胴式遊技機１の入賞役の当選確率の設定変更を行う場合には、作業者は、まず、鍵穴７９に外装用前扉キーを挿入する。これにより外装用前扉用シリンダ錠ユニット７８は、前記筐体本体２の外側に突出する方向に移動し、外装用前扉用シリンダ錠ユニット７８は、外装用前扉３の貫通孔９２から引き抜かれ、外装用前扉３は、筐体本体２の内周に沿って回転スライド可能になる。この状態で、作業者は、取手７３を操作し前扉３を左側へスライドさせて筐体本体２を開口８の開放する。
【００９３】
次に、作業者は、図１０に示す電源ユニット２４の摘み部材５０４の円形部５４１を指で引くことで図１２に示すように前面部５１２から電源ユニット用前扉５０２を開く。
【００９４】
次に、作業者は、電源ユニット用前扉５０２が開いた状態で、図１１に示す電源スイッチ５２１をオフし、この後設定用シリンダ錠５２３の鍵穴である設定キー嵌合部５５３に設定キー６００の嵌合部６０２、６０３を挿入して嵌合させ、設定用シリンダ錠ロータ５５２を回動可能な状態にする。次に、作業者は、設定キー６００を右回りに回して当該設定キー６００の幅方向をオン方向である水平方向にする。これにより、前記設定用シリンダ錠ロータ５５２の回動を検出するロータリースイッチ５２６が設定用シリンダ錠５２３のオン操作を検出し、この検出結果を主制御基板２０のＣＰＵ１２０に導く。
【００９５】
次に、作業者は、電源スイッチ５２１をオンする。これにより、図５及び図７に示す主制御基板２０は、図１１に示す数値情報表示部５２４に入賞役を抽選する抽選確率の設定を数値表示する。
【００９６】
次に、作業者は、図３及び図６に示す中央表示基板３３の透明カバー１４２を開くことで設定変更ボタン１４１を露出させ、設定変更ボタン１４１を押圧することでオン操作を行う。
【００９７】
ここで、図７に示す主制御基板２０のＣＰＵ１２０は、設定変更ボタン１４１が一回オン操作される毎に数値情報表示部５２４に表示されている設定候補値を一回変更する。ここで、設定候補値を一回変更する方法は、変更前の設定候補値が１から５の場合、数字１だけカウントアップすることで変更後の設定候補値とし、変更前の設定候補値が６の場合、１を変更後の設定候補値としている。
【００９８】
作業者は、設定変更ボタン１４１をｎ回押すことで、設定候補値をｎ回変更し、決定ボタン５２５をオン操作することで、設定候補値を実際の設定値として主制御基板２０の記憶部１２１の設定記憶領域１２８に記憶させる。
【００９９】
この後、作業者は、図１１に示す設定用シリンダ錠５２３に差し込まれた設定キー６００を左回りに回して設定キー６００の幅方向をオフ方向にする。ロータリースイッチ５２６は、前記設定用シリンダ錠ロータ５５２の回動角がオフ位置にあることを検出し、この検出結果を図７に示す主制御基板２０のＣＰＵ１２０に導く。
【０１００】
この後、作業者は、図１１に示す設定用シリンダ錠５２３から設定キー６００を引き抜き、前面部５１２に対して電源ユニット用前扉５０２を閉じ、次に本体筐体２に対して外装用前扉３を開放する場合と逆の操作を行い図１３に示すように外装用前扉３を閉塞することで回胴式遊技機１を遊技可能にする。
【０１０１】
ここで、本体筐体２に対して外装用前扉３を閉塞した状態で、前記外装用前扉３の前記凹部３０１の裏側は、当該外装用前扉３が前記開口８を閉塞した状態で、前記電源ユニット用前扉５０２の表面側における摘み部材５０４の円形部５４１の前側近傍に配置し、不正を行う者が例えば本体筐体２と外装用前扉３の隙間から不正器具を挿入して電源ユニット用前扉５０２を開放する方向に操作した場合、外装用前扉３の前記凹部３０１の裏側に摘み部材５０４の円形部５４１が当接し、外装用前扉３の開放が阻止される。
【０１０２】
このような構成及び動作を纏めて説明すると、図１に示す筐体本体２は、円筒状に形成された円筒部１１を有し、当該円筒部１１の一端及び他端がそれぞれ上面板１２及び底面板１３により閉塞されるとともに、前方に開口８を有する。
【０１０３】
外装用前扉３は、外側面が前記筐体本体２の内周に沿って回転スライド可能に設けられ、前記開口８の開放及び閉塞を行う。
【０１０４】
前面側のベットボタン７４、スタートボタン７５、ストップボタン７６ａ、７６ｂ、７６ｃ及び精算ボタン７７は、前記外装用前扉３の外側面に設けられ、遊技に係わる操作が行われる遊技操作手段になっている。
【０１０５】
図５に示す主制御基板２０は、図１に示す筐体本体２と外装用前扉３によって閉塞される空間の内部に設けられ、遊技に係わる制御を行う制御基板になっている。
【０１０６】
図１に示すリールユニット１００は、周面に複数種類の図柄が描かれ複数のリール１０１ａ、１０１ｂ、１０１ｃを有し、前記筐体本体２と前記外装用前扉３によって閉塞される空間の内部に設けられ、図５に示す主制御基板２０の制御に基づいて前記複数のリール１０１ａ、１０１ｂ、１０１ｃの回転及び停止を行う。
【０１０７】
図１に示すリール表示窓４１は、前記外装用前扉３に設けられ、当該外装用前扉３が前記筐体本体２の前記開口８を閉塞した状態で前記複数のリール１０１ａ、１０１ｂ、１０１ｃの前方に配置して当該複数のリール１０１ａ、１０１ｂ、１０１ｃの前側を視認可能にする。
【０１０８】
図３、図５、図８及び図９に示すホッパ装置２１は、前記筐体本体２と前記外装用前扉３によって閉塞される空間の内部に設けられ、メダルを払い出すメダル払出手段になっている。
【０１０９】
図９に示す凹部３０１は、前記外装用前扉３の下部を前記筐体本体２の内側方向に膨出することで前記外装用前扉３の外側面に形成されている。
【０１１０】
外側壁部３０３は、前記凹部３０１の下側の縁３０２から上方に延出して形成され、前記凹部３０１の下側の壁面とともにメダル受け皿６２を形成する。
【０１１１】
メダル払出口６１は、前記凹部３０１の奥部に形成され、前記ホッパ装置２１から払い出されたメダルを前記メダル受け皿６２へ排出する。
【０１１２】
図５に示す電源ユニット２４は、前記筐体本体２と前記外装用前扉３によって閉塞される空間の内部に設けられ、前記筐体本体２の壁面に形成された貫通孔１９を介して筐体本体２の外部から電力が供給され、供給された電力から所定の電圧値の電力を生成して前記主制御基板２０、前記リールユニット１０１及び前記ホッパ装置２１に電力を供給する。
【０１１３】
図１０及び図１１に示す設定用シリンダ錠５２３は、前記電源ユニット２４の前面に設けられ、設定キーと嵌合する設定キー嵌合部５５３を有し、当該設定キー嵌合部５５３が前記設定キーと嵌合することで当該設定キー嵌合部５５３のオフ位置からオン位置への回動操作が可能になる。
【０１１４】
電源ユニット用前扉５０２は、前記電源ユニット２４に対して回動可能に取付けられることで前記電源ユニット２４の前面を開閉可能な状態で覆う。
【０１１５】
ＣＰＵ２００、入賞抽選テーブル２０３及び乱数発生装置２０５は、入賞役を抽選する抽選手段となっている。
【０１１６】
図６に示す設定変更ボタン１４１及び図１１に示す決定ボタン５２５は、設定変更のための操作入力が可能な設定変更用操作入力手段となっている。
【０１１７】
図７に示すＣＰＵ２００は、前記設定キー嵌合部５５３がオン位置にある場合に限って、前記設定変更用操作入力手段からの操作入力に基づいて前記抽選手段の抽選確率の設定変更を行う設定変更手段となっている。
【０１１８】
図１３に示す外装用前扉３の前記凹部３０１の裏側は、当該外装用前扉３が前記開口８を閉塞した状態で、前記電源ユニット用前扉５０２の表面側の近傍または当該表面側に接触する位置に配置して前記電源ユニット用前扉５０２の開放を阻止する。
【０１１９】
本発明の実施形態の回胴式遊技機１によれば、筐体本体２は、エッジの少ない円筒状に形成され、前記外装用前扉３の外側面に形成された凹部３０１にメダル受け皿６２が設けられるので、略矩形状と異なる全体形状を採用できるとともに、筐体本体２の軽量化が容易になり、これに加えて、前記外装用前扉３が前記開口８を閉塞した状態で、前記外装用前扉３の外側面に形成された凹部３０１の裏側が電源ユニット２４等の回胴式遊技機１の内部部品に近接して配置するので、筐体本体２の開口８を外装用前扉３で閉塞した状態で前記筐体本体２と前記外装用前扉３によって閉塞される空間の内部に設けられた部品に対して不正行為が行われるのを防止できる。
【０１２０】
また、回胴式遊技機１によれば、前記外装用前扉３の前記凹部３０１の裏側は、当該外装用前扉３が前記開口８を閉塞した状態で、前記電源ユニット用前扉５０２の表面側の近傍または当該表面側に接触する位置に配置して前記電源ユニット用前扉５０２の開放を阻止すので、前記電源ユニット用前扉５０２に設けられた設定用シリンダ錠５２３や決定ボタン５２５等の操作部が操作されるのを防止でき、不正な設定変更を防止して遊技施設の経営改善を図ることができる。
【０１２１】
さらに、筐体本体２は、略矩形状よりエッジが少なく背面側と左右両側が一体形成され支持板１４により上下方向の補強がなされているので、筐体本体２の軽量化が容易になり、回胴式遊技機１の設置作業や撤去作業の際に当該回胴式遊技機１を容易に移動できるとともに、特に筐体本体２の上面側と底面側で左右逆方向となる横方向の力が加えられた場合の強度を向上し、筐体本体２の上下方向の圧縮力に対する強度を向上することができるので、例えば複数の回胴式遊技機１を高く積み重ねることが可能になる。
さらに、回胴式遊技機１は、前記外装用前扉３が前記開口８を閉塞した状態で、当該外装用前扉３の左右両脇が前記筐体本体２の前記開口８の縁部とが重なり合って重複部１９１、１９２を形成するので、この重複部１９１、１９２には隙間が生じにくく、さらに隙間が生じた場合でも隙間の方向には不正行為の対象となるホッパ装置２１等の機器が配置されていないので、筐体本体２に外装用前扉３を施錠した状態で外装用前扉３と筐体本体２の隙間から不正器具が挿入されるのを防止でき、不正行為を未然に防止して遊技施設の経営改善を図ることができる。
【０１２２】
尚、図1乃至図１３に示した実施形態は、外装用前扉３の施錠を行う錠ユニットとして、外装用前扉用シリンダ錠ユニット７８を用いたが、電子ロック錠等の錠ユニットを適用することも可能である。
【図面の簡単な説明】
【０１２３】
【図１】図１は、本発明の一実施形態による回胴式遊技機１の外観構造を表した斜視図である。
【図２】図２は、本発明の一実施形態による回胴式遊技機１の正面図である。
【図３】図３は、本発明の一実施形態による外装用前扉３を開放した状態の回胴式遊技機１を表した斜視図である。
【図４】図４は、本発明の一実施形態による図２のＡ−Ａ線断面図である。
【図５】図５は、本発明の一実施形態による回胴式遊技機１の断面である。
【図６】図６は、本発明の一実施形態による外装用前扉３の筐体内側面を示す背面図である。
【図７】図７は、本発明の一実施形態による回胴式遊技機１の制御システムを表したブロック図である。
【図８】図８は、本発明の一実施形態によるホッパ装置２１を表した斜視図である。
【図９】図９は、本発明の一実施形態による図２のＢ−Ｂ線断面図である。
【図１０】図１０は、本発明の一実施形態による電源ユニット２４を示す分解斜視図である。
【図１１】図１１は、本発明の一実施形態による電源ユニット用前扉を開いた状態の電源ユニット２４の示す斜視図である。
【図１２】図１２は、本発明の一実施形態による外装用前扉３を開放した状態における外装用前扉３と電源ユニット用前扉の位置関係を示す説明図である。
【図１３】図１３は、本発明の一実施形態による外装用前扉３を開放した状態における外装用前扉３と電源ユニット用前扉の位置関係を示す説明図である。
【符号の説明】
【０１２４】
１…回胴式遊技機、２…筐体、３…外装用前扉、４…上側部、
５…下側部、６…メダル受皿部、
７…操作部、８…開口、９…貫通孔、１０…電源コード、
１１…円筒部、１２…上面板、１３…底面板、１４…支持板、
１５、１６…レール溝、１７、１８…リブ、
２０…主制御基板、２１…ホッパ装置、
２２…メダル排出口、２３…補助貯留部、２４…電源ユニット、
２５…電源基板、２６…外部集中端子基板、３０…発光駆動部、
３２ａ、３２ｂ…スピーカ、３３…中央表示基板、
３４…メダル選別装置、
３５…ガイド部材、３６…キャンセルシュート部材、
３７…ガイド部材、３８ａ、３８ｂ…スピーカ、
３９…放電灯点灯装置、４０…サブ制御基板、４１…リール表示窓、
４４…パネル板、５０…演出装置、５１…表示パネル、
６１…メダル払出口、６２…メダル受皿、
６３ａ、６３ｂ…左右の演出用放音部、
７０…化粧板、７１…メダル投入部、
７２…メダル投入口、７３…取手、７４…ベットボタン、
７５…スタートボタン、７６ａ、７６ｂ、７６ｃ…ストップボタン、
７８…外装用前扉用シリンダ錠ユニット、鍵穴…７９、
８０…基板ケース、８１、８２…左右のブラケット部材、
９０…基板ケース、９１…フォトセンサ、９２…貫通孔、
１００…リールユニット、１０１ａ、１０１ｂ、１０１ｃ…リール、
１１０…回胴装置基板、１２０…ＣＰＵ、１２１…記憶部、
１２２…プログラムＲＯＭ、１２３…制御ＲＡＭ、
１２４…システムプログラム、１２５…入賞抽選テーブル、
１２６…メダルクレジット手段、１３０…ソレノイド駆動回路、
１３１…メダルセンサ、１３２…ソレノイド、１４１…設定変更ボタン、
１４２…透明カバー、１６１…入力回路、１６２…乱数発生装置、
１９１、１９２…重複部、２０１…ホッパタンク、
２０２…メダル排出機構部、２０３…ホッパベース、２１１…開口部、
２１２…斜面部、２１３…タンク底部、２１４…ガイド部材、
２１５…前面部、２１６…右側面部、２１７…切り欠き部、
２１８…開口部、２２１…排出機構側ホッパタンクベース、
２２２…ロータディスク、２２３…メダル排出ガイド、
２２４…メダル通路、２２５…リブ、３０１…凹部、
３１１、３１２、３１３、３１４…壁部、３１５…壁部、
３１６…壁部、３１７…壁部、３２１…バックライト、３２２…隔壁、
３２３…ネジ、３３１…壁面、３３２…スリット孔、
３３３…メダル通路、５００…メダル、５０１…電源ユニット本体、
５０２…扉、５０３…ねじりバネ、５０４…摘み部材、５１１…筐体、
５１２…前面部、５１３、５１４…棒状部材、５１６…上面部、
５２１…電源スイッチ、５２２…リセットボタン、
５２３…設定用シリンダ錠、５２４…数値情報表示部、
５２５…決定ボタン、５３１、５３２…フック部、５３３…取付孔、
５４１…円形部、５４２…嵌合部、５５１…設定用シリンダ錠本体、
５５２…設定用シリンダ錠ロータ、５５３…設定キー嵌合部、
５６１、５６２…コネクタ用開口部、５６３…通気用スリット、
５７０…右側部、５７１、５７２…電源ユニット側コネクタ、
６００…設定キー、６０１…板状部、６０２、６０３…嵌合部、
６０４…摘み部
【図１】
2009136624.tif 000003
【図２】
2009136624.tif 000004
【図３】
2009136624.tif 000005
【図４】
2009136624.tif 000006
【図５】
2009136624.tif 000007
【図６】
2009136624.tif 000008
【図７】
2009136624.tif 000009
【図８】
2009136624.tif 000010
【図９】
2009136624.tif 000011
【図１０】
2009136624.tif 000012
【図１１】
2009136624.tif 000013
【図１２】
2009136624.tif 000014
【図１３】
2009136624.tif 000015